(57)【要約】【課題】充電による二次電池の劣化を抑制すること可能な電池パック、半導体装置、携帯機器、通知方法、通知プログラムを提供することを目的としている。【解決手段】本発明では、携帯機器に内蔵された電池パックの有する監視ＩＣにより二次電池の残容量を監視し、監視ＩＣが二次電池の満充電を検出すると、監視ＩＣから携帯機器へ満充電となったことが通知される。携帯機器は、満充電の通知を受けて、充電完了をユーザへ通知する。【選択図】図６
2011017619.tif 000002
【特許請求の範囲】
【請求項１】
充放電可能な二次電池を有し、前記二次電池から当該電池パックが内蔵された機器本体へ電力を供給する電池パックであって、
前記二次電池の残容量を検出する残容量検出手段と、
前記残容量に基づき前記二次電池の満充電を検出する満充電検出手段と、
前記満充電を検出したことを前記機器本体へ通知する満充電通知手段と、を有する電池パック。
【請求項２】
充放電可能な二次電池を有し、前記二次電池の残容量を検出する残容量検出手段と、前記残容量に基づき前記二次電池の満充電を検出する満充電検出手段と、前記満充電を検出したことを当該携帯機器へ通知する満充電通知手段と、を有する電池パックが内蔵されており、前記二次電池により電力が供給されて駆動する携帯機器であって、
前記電池パックからの前記二次電池の満充電を検出した通知を受け付ける通知受付手段と、
前記通知受付手段が前記通知を受け付けると、前記二次電池が満充電となったことを当該携帯機器の利用者に通知する通知制御手段と、を有する携帯機器。
【請求項３】
前記通知制御手段は、
当該携帯機器の有する表示手段に、前記二次電池が満充電となったことを通知するメッセージを表示させる請求項２記載の携帯機器。
【請求項４】
当該携帯機器を振動させる振動発生手段を有し、
前記通知制御手段は、前記通知受付手段が通知を受けると、前記振動発生手段により振動を発生させる請求項２又は３記載の携帯機器。
【請求項５】
前記通知制御手段は、前記通知受付手段が通知を受けると、当該携帯機器が有する鳴音手段により通知音を鳴らす請求項２ないし４の何れか一項に記載の携帯機器。
【請求項６】
充放電可能な二次電池を有する電池パックが内蔵されており、前記二次電池により電力が供給されて駆動する携帯機器による通知方法であって、
前記電池パックに、
前記二次電池の残容量を検出する残容量検出手順と、
前記残容量に基づき前記二次電池の満充電を検出する満充電検出手順と、
前記満充電を検出したことを当該携帯機器へ通知する満充電通知手順と、を実行させ、
前記携帯機器に、
前記電池パックからの通知を受け付ける通知受付手順と、
前記通知を受け付けると、前記二次電池が満充電となったことを当該携帯機器の利用者に通知する通知制御手順と、を実行させる通知方法。
【請求項７】
充放電可能な二次電池を有する電池パックが内蔵されており、前記二次電池により電力が供給されて駆動する携帯機器により実行される通知プログラムであって、
前記電池パックに、
前記二次電池の残容量を検出する残容量検出ステップと、
前記残容量に基づき前記二次電池の満充電を検出する満充電検出ステップと、
前記満充電を検出したことを当該携帯機器へ通知する満充電通知ステップと、を実行させ、
前記携帯機器に、
前記電池パックからの前記二次電池の満充電を検出した通知を受け付ける通知受付ステップと、
前記通知を受け付けると、前記二次電池が満充電となったことを当該携帯機器の利用者に通知する通知制御ステップと、を実行させる通知プログラム。
【請求項８】
充放電可能な二次電池を有し、前記二次電池から当該電池パックが内蔵された機器本体へ電力を供給する電池パックに搭載される半導体装置であって、
前記二次電池の残容量を検出する残容量検出手段と、
前記残容量に基づき前記二次電池の満充電を検出する満充電検出手段と、
前記満充電を検出したことを前記機器本体へ通知する満充電通知手段と、を有する半導体装置。
【発明の詳細な説明】
【技術分野】
【０００１】
充放電可能な二次電池を有し、前記二次電池から当該電池パックが内蔵された機器本体へ電力を供給する電池パック、この電池パックに搭載される半導体装置、この電池パックが内蔵された携帯機器、携帯機器による通知方法、通知プログラムに関する。
【背景技術】
【０００２】
近年では、電子機器の小型化に伴い、リチウムイオン電池等の二次電池により駆動される携帯機器が普及している。通常の携帯機器では、ディスプレイ等に二次電池の残容量を示す画像が表示されており、利用者は、この表示を元に適切なタイミングで二次電池の充電を行う。二次電池の充電は、充電アダプタを携帯機器に接続して行う。
【０００３】
従来の携帯機器では、充電アダプタが接続されると、充電中であることを示すランプ等が点灯される。そして携帯機器は、二次電池が満充電となると、点灯させていたランプ等を消灯して充電が完了したことをユーザに知らせる。携帯機器が二次電池の状態等をユーザに知らせる技術は、例えば特許文献１に記載されている。
【先行技術文献】
【特許文献】
【０００４】
特開２００３−１２５５４０号公報
【発明の概要】
【発明が解決しようとする課題】
【０００５】
しかしながら従来の携帯機器は、例えば二次電池の充電を開始してから二次電池が満充電となるのに十分な時間が経過した場合に満充電と検出している。また従来の携帯機器では、例えば二次電池の電池電圧が所定値以上となったときに満充電と検出している。
【０００６】
すなわち従来の携帯機器では、二次電池の残容量等を参照せずに満充電を検出している。このため従来の携帯機器では、充電完了をユーザに知らせた時点での二次電池の残容量を１００％とするように、充電時間が必要より長く設定されている。よって二次電池は、充電する度に必要以上に充電されることになり、劣化する。
【０００７】
本発明は、上記事情を鑑みてこれを解決すべくなされたものであり、充電による二次電池の劣化を抑制すること可能な電池パック、半導体装置、携帯機器、通知方法、通知プログラムを提供することを目的としている。
【課題を解決するための手段】
【０００８】
本発明は、上記目的を達成するために、以下の如き構成を採用した。
【０００９】
本発明は、充放電可能な二次電池（２１１）を有し、前記二次電池（２１１）から当該電池パック（２００）が内蔵された機器本体（１００）へ電力を供給する電池パック（２００）であって、
前記二次電池（２１１）の残容量を検出する残容量検出手段（２３４）と、
前記残容量に基づき前記二次電池（２１１）の満充電を検出する満充電検出手段（２３６）と、
前記満充電を検出したことを前記機器本体（１００）へ通知する満充電通知手段（２３７）と、を有する構成とした。
【００１０】
本発明は、充放電可能な二次電池（２１１）を有し、前記二次電池（２１１）の残容量を検出する残容量検出手段（２３４）と、前記残容量に基づき前記二次電池（２１１）の満充電を検出する満充電検出手段（２３６）と、前記満充電を検出したことを当該携帯機器（１００）へ通知する満充電通知手段（２３７）と、を有する電池パック（２００）が内蔵されており、前記二次電池（２１１）により電力が供給されて駆動する携帯機器（１００）であって、
前記電池パック（２００）からの前記二次電池（２１１）の満充電を検出した通知を受け付ける通知受付手段（１１０）と、
前記通知受付手段（１１０）が前記通知を受け付けると、前記二次電池（２１１）が満充電となったことを当該携帯機器（１００）の利用者に通知する通知制御手段（１２０）と、を有する構成とした。
【００１１】
また本発明の携帯機器において、前記通知制御手段（１２０）は、
当該携帯機器（１００）の有する表示手段（１２）に、前記二次電池（２１１）が満充電となったことを通知するメッセージを表示させる構成としても良い。
【００１２】
また本発明の携帯機器において、当該携帯機器（１００）を振動させる振動発生手段を有し、
前記通知制御手段（１２０）は、前記通知受付手段（１１０）が通知を受けると、前記振動発生手段により振動を発生させる構成としても良い。
【００１３】
また本発明の携帯機器において、前記通知制御手段（１２０）は、前記通知受付手段（１１０）が通知を受けると、当該携帯機器（１００）が有する鳴音手段により通知音を鳴らす構成としても良い。
【００１４】
本発明は、充放電可能な二次電池（２１１）を有する電池パック（２００）が内蔵されており、前記二次電池（２００）により電力が供給されて駆動する携帯機器（１００）による通知方法であって、
前記電池パック（２００）に、
前記二次電池（２１１）の残容量を検出する残容量検出手順と、
前記残容量に基づき前記二次電池（２１１）の満充電を検出する満充電検出手順と、
前記満充電を検出したことを当該携帯機器（１００）へ通知する満充電通知手順と、を実行させ、
前記携帯機器（１００）に、
前記電池パック（２００）からの通知を受け付ける通知受付手順と、
前記通知を受け付けると、前記二次電池（２１１）が満充電となったことを当該携帯機器（１００）の利用者に通知する通知制御手順と、を実行させる方法とした。
【００１５】
本発明は、充放電可能な二次電池（２１１）を有する電池パック（２００）が内蔵されており、前記二次電池（２１１）により電力が供給されて駆動する携帯機器（１００）により実行される通知プログラムであって、
前記電池パック（２００）に、
前記二次電池（２１１）の残容量を検出する残容量検出ステップと、
前記残容量に基づき前記二次電池（２１１）の満充電を検出する満充電検出ステップと、
前記満充電を検出したことを当該携帯機器（１００）へ通知する満充電通知ステップと、を実行させ、
前記携帯機器（１００）に、
前記電池パック（２００）からの前記二次電池（２１１）の満充電を検出した通知を受け付ける通知受付ステップと、
前記通知を受け付けると、前記二次電池（２１１）が満充電となったことを当該携帯機器（１００）の利用者に通知する通知制御ステップと、を実行させるプログラムとした。
【００１６】
本発明は、充放電可能な二次電池（２１１）を有し、前記二次電池（２１１）から当該電池パック（２００）が内蔵された機器本体へ電力を供給する電池パック（２００）に搭載される半導体装置（２２０）であって、
前記二次電池（２１１）の残容量を検出する残容量検出手段（２３４）と、
前記残容量に基づき前記二次電池（２１１）の満充電を検出する満充電検出手段（２３６）と、
前記満充電を検出したことを前記機器本体へ通知する満充電通知手段（２３７）と、を有する構成とした。
【００１７】
なお、上記括弧内の参照符号は、理解を容易にするために付したものであり、一例にすぎず、図示の態様に限定されるものではない。
【発明の効果】
【００１８】
本発明によれば、充電による二次電池の劣化を抑制することができる。
【図面の簡単な説明】
【００１９】
【図１】第一の実施形態の携帯機器のハードウェア構成の一例を説明する図である。
【図２】携帯機器に内蔵された電池パックを説明するための図である。
【図３】監視ＩＣのハードウェア構成を示す図である。
【図４】監視ＩＣの機能構成を説明する図である。
【図５】第一の実施形態の携帯機器の機能構成を説明するための図である。
【図６】充電完了を示すメッセージが表示された画面の一例を示す図である。そ
【図７】第二の実施形態の携帯機器を説明する図である。
【発明を実施するための形態】
【００２０】
本発明では、携帯機器に内蔵された電池パックの有する監視ＩＣにより二次電池の残容量を監視し、監視ＩＣが二次電池の満充電を検出すると、監視ＩＣから携帯機器へ満充電となったことが通知される。携帯機器は、満充電の通知を受けて、充電完了をユーザへ通知する。
【００２１】
（第一の実施形態）
以下に図面を参照して本発明の第一の実施形態について説明する。図１は、第一の実施形態の携帯機器のハードウェア構成の一例を説明する図である。
【００２２】
本実施形態の携帯機器１００は、それぞれバスＢで相互に接続されている操作装置１１、表示装置１２、ドライブ装置１３、補助記憶装置１４、メモリ装置１５、演算処理装置１６、通信装置１７、充電回路１８で構成される。携帯機器１００は、後述する二次電池が内蔵された電池パック２００により給電されて駆動する。
【００２３】
操作装置１１は、携帯機器１００を操作するためのものであり、携帯機器１００を操作するための各種信号を入力される。操作装置１１は、具体的には例えば電源キーやテンキー等の操作ボタン等である。表示装置１２は、例えば液晶ディスプレイ等であり、携帯機器１００の操作を案内する案内画面や、携帯機器１００で実行されている処理の進捗状況等が表示される。
【００２４】
通信装置１７は、携帯端末１００が他の携帯機器や基地局等と通信を行うための装置である。通信装置１７は、例えば携帯機器１００に設けられたアンテナ等により構成され、アンテナからデータを送受信するための処理等を担う。充電回路１８は、携帯機器１００に充電アダプタが接続された際に、電池パック２００に内蔵された二次電池への充電動作を制御する。
【００２５】
本発明の通知プログラムは、携帯機器１００を制御する各種プログラムの少なくとも一部である。通知プログラムは、例えば通信装置１７を介した受信などによって提供される。通知プログラムを記録した記録媒体１９は、例えばメモリカード等の携帯機器１００により読み取り可能な記録媒体である。
【００２６】
また、通知プログラムを記録した記録媒体１９がドライブ装置１３にセットされると、通知プログラムは記録媒体１９からドライブ装置１３を介して補助記憶装置１４にインストールされる。通信装置１７を介して受信された通知プログラムは、補助記憶装置１４にインストールされる。
【００２７】
補助記憶装置１４には、各種プログラムが記憶されるプログラム記憶領域と、各種データが記憶されるデータ記憶領域とが設けられている。プログラム記憶領域には、インストールされた通知プログラム等が格納される。データ記憶領域には、必要なファイル、データ等が格納される。メモリ装置１５は、携帯機器１００の起動時に補助記憶装置１４のプログラム記憶領域に記憶された各種プログラムを読み出して展開する。そして、演算処理装置１６はメモリ装置１５に展開された通知プログラムに従って、後述するような各種処理を実現している。
【００２８】
次に、本実施形態の携帯機器１００に内蔵された電池パック２００について説明する。図２は、携帯機器に内蔵された電池パックを説明するための図である。
【００２９】
本実施形態の電池パック２００は、例えばリチウムイオン電池等の二次電池２１１が複数接続された電池ユニット２１０を有する。尚本実施形態では、電池ユニット２１０は二次電池２１１が直列に接続された構成としたが、これに限定されない。
【００３０】
電池パック２００は、電池パック２００が搭載される携帯機器１００と接続するための正極端子２１２及び負極端子２１３と、電池ユニット２１０との間に、監視ＩＣ２２０及び保護ＩＣ２３０を有する。
【００３１】
監視ＩＣ２２０は、電池ユニット２１０の状態を監視し、電池ユニット２１０の状態情報を取得する。そして監視ＩＣ２２０は、携帯機器１００からの状態情報の参照要求を受けると、取得した状態情報を携帯機器１００へ提供する。
【００３２】
監視ＩＣ２２０は、電源端子ＶＤＤ及び基準電位端子ＶＳＳと、電圧検知端子ＶＢＡＴ１と、ひと組の電流検知端子ＶＲＳＰ及びＶＲＳＭと、通信端子ＳＩＯとを有する。監視ＩＣ２２０は、電源端子ＶＤＤを介して、保護ＩＣ２３０において電池電圧からレギュレートされた電圧を受け取る。基準電位端子ＶＳＳは、電池ユニット２１０の負極へ接続されている。
【００３３】
監視ＩＣ２２０は、電池ユニット２１０の正極へ接続された電圧検知端子ＶＢＡＴ１を介して電池ユニット２１０の出力電圧を検出することができる。一方の電流検知端子ＶＲＳＭは二次電池２１１の負極へ接続され、更に、監視ＩＣ２２０の外部で抵抗Ｒ１１を介してもう一方の電流検知端子ＶＲＳＰへ接続されている。
【００３４】
監視ＩＣ２２０は、電流検知端子ＶＲＳＰ及びＶＲＳＭを介して、外部抵抗Ｒ１１に流れる電流、即ち、電池ユニット２１０の充放電電流を検出する。通信端子ＳＩＯは、保護ＩＣ２３０を介して、携帯機器１００との通信に使用される外部端子２１４へ接続されている。本実施形態の監視ＩＣ２２０は、通信端子ＳＩＯ及び保護ＩＣ２３０を介して携帯機器１００と通信を行う。監視ＩＣ２２０の詳細は後述する。
【００３５】
保護ＩＣ２３０は、電池パック２００を過充電、過放電から保護する。保護ＩＣ２３０は、電池パック２００の充放電を遮断するＭＯＳトランジスタＭ１１、Ｍ１２のゲートにそれぞれ接続される端子ＤＯＵＴと端子ＣＯＵＴとを有する。保護ＩＣ２３０は過放電或いは過電流を検出したときＤＯＵＴ出力をローレベルとしてＭＯＳトランジスタＭ１１を遮断し、過充電検出回路で過充電を検出したときＣＯＵＴ出力をローレベルとしてＭＯＳトランジスタＭ１２を遮断する。
【００３６】
以下に図３、図４を参照して監視ＩＣ２２０の詳細を説明する。図３は、監視ＩＣのハードウェア構成を示す図である。図３において、監視ＩＣ２２０は、ＣＰＵ（Ｃｅｎｔｒａｌ  Ｐｒｏｃｅｓｓｉｎｇ  Ｕｎｉｔ）２２１、センサ部２２２、ＲＯＭ（Ｒｅａｄ  Ｏｎｌｙ  Ｍｅｍｏｒｙ）２２３、ＥＥＰＲＯＭ（Ｅｌｅｃｔｒｉｃａｌｌｙ  Ｅｒａｓａｂｌｅ  ａｎｄ  Ｐｒｏｇｒａｍａｂｌｅ  ＲＯＭ）２２４、シリアルインターフェース（Ｉ／Ｆ）２２５を有する。
【００３７】
ＣＰＵ２２１は、監視ＩＣ２２０の各部を制御する。センサ部２２２は、電池ユニット２１０の電圧、電流及び温度を検出する。ＲＯＭ２２３には、ＣＰＵ２２１が監視ＩＣ２２０の各部を制御するために実行するプログラムが格納されている。尚ＲＯＭ２２３は、より高精度な電池残量を算出するためにプログラム変更を可能とする書き換え可能なフラッシュメモリにより構成されても良い。ＥＥＰＲＯＭ２２４には、センサ部２２２によって検出された電池ユニット２１０の電圧、電流及び温度の各パラメータ等の情報が格納される。尚ＥＥＰＲＯＭ２２４にＣＰＵ２２１が監視ＩＣ２２０の各部を制御するために実行されるプログラムが格納されていても良い。
【００３８】
シリアルＩ／Ｆ２２５は、通信端子ＳＩＯを介して携帯機器１００と通信を行う。ＣＰＵ２２１、センサ部２２２、ＲＯＭ２２３、ＥＥＰＲＯＭ２２４及びシリアルＩ／Ｆ２２５は、バス２２６によって接続されており、夫々の間でデータ及びプログラムをやり取りすることができる。
【００３９】
また、センサ部２２２は、温度センサ回路２２２ａ、電圧センサ回路２２２ｂ、電流センサ回路２２２ｃ、マルチプレクサ２２２ｄ、アナログ−デジタル（Ａ／Ｄ）変換回路２２２ｅを有する。
【００４０】
温度センサ回路２２２ａは、電池ユニット２１０の温度を検出する。電圧センサ回路２２２ｂは、電池ユニット２１０へ接続された電圧検知端子ＶＢＡＴ１を介して、電池ユニット２１０の出力電圧を検出する。電流センサ回路２２２ｃは、電流検知端子ＶＲＳＰ及びＶＲＳＭを介して、外部抵抗Ｒ１１に流れる電流、即ち、電池ユニット２１０の充放電電流を検出する。温度センサ回路２２２ａ、電圧センサ回路２２２ｂ及び電流センサ回路２２２ｃの各出力はマルチプレクサ２２２ｄへ接続されており、マルチプレクサ２２２ｄによって１つの信号として出力される。Ａ／Ｄ変換回路２２２ｅは、マルチプレクサ２２２ｄによって出力された信号をアナログからデジタルに変換する。
【００４１】
図４は、監視ＩＣの機能構成を説明する図である。尚本実施形態において、図４に示す監視ＩＣ２２０の機能構成は、図３に示されたＲＯＭ２２３に記憶された特定のプログラムによって実現される。
【００４２】
監視ＩＣ２２０は、電流値取得部２３１、電圧値取得部２３２、計時部２３３、残量検出部２３４、記憶制御部２３５、満充電検出部２３６、満充電通知部２３７を有する。
【００４３】
電流値取得部２３１は、電流センサ回路２２２ｃが検出した電流値を取得する。電圧値取得部２３２は、電圧センサ回路２２２ｂが検出した電圧値を取得する。計時部２３３は監視ＩＣ２２０に内蔵された時計機能により計時する。
【００４４】
残量検出部２３４は、電流値取得部２３１により取得された電流値又は電圧値取得部２３２により取得された電圧値、計時部２３３による計時機能により、電池ユニット２１０の残容量を残量データとして検出する。
【００４５】
記憶制御部２３５は、電流値取得部２３１により取得された電流値、電圧値取得部２３２により取得された電圧値、残量検出部２３４により検出された残容量等の状態情報等を例えばＥＥＰＲＯＭ２２４等に記憶させる。
【００４６】
満充電検出部２３６は、残量検出部２３４により検出された残量データに基づき電池ユニット２１０を構成する二次電池２１０の満充電を検出する。本実施形態の満充電検出部２３６は、例えば残量検出部２３４により検出された残量データが、１００％となったとき、満充電と検出しても良い。
【００４７】
満充電通知部２３７は、満充電検出部２３６により満充電が検出されると、満充電が検出されたことを携帯機器１００へ通知する通知信号を出力する。また本実施形態の満充電通知部２３７は、満充電を通知する通知信号以外にも、二次電池２１１の残容量のデータ等の状態情報を携帯機器１００へ通知しても良い。
【００４８】
次に、本実施形態の携帯機器１００の機能構成について説明する。図５は、第一の実施形態の携帯機器の機能構成を説明するための図である。
【００４９】
本実施形態の携帯機器１００は、通知受付部１１０、通知制御部１２０を有する。通知受付部１１０は、電池パック２００の監視ＩＣ２２０から出力される通知信号を受け付ける。通知制御部１２０は、通知受付部１１０が通知を受け付けると、携帯機器１００を使用しているユーザに対して満充電であることを通知する。
【００５０】
本実施形態の通知制御部１２０は、例えば携帯機器１００の表示装置１２に充電が完了したことを示すメッセージを表示させて充電完了をユーザに通知し、充電アダプタの取り外し（遮断）を促しても良い。
【００５１】
図６は、充電完了を示すメッセージが表示された画面の一例を示す図である。図６に示す画面１２Ａには、充電アダプタによる充電の遮断を促すメッセージ１２Ｍが表示されている。携帯機器１００は、このメッセージ１２Ｍにより、ユーザに充電が完了したことを通知できる。
【００５２】
以上に説明したように、本実施形態によれば、電池パック２００内の監視ＩＣ２２０において、電池ユニット２１０の残量データから満充電を検出する。よって本実施形態では、二次電池２１１の状態に基づき正確に満充電となった時期を検出することができる。
【００５３】
また本実施形態では、監視ＩＣ２２０により満充電が検出されると、監視ＩＣ２２０から携帯機器１００へ満充電を検出したことが通知される。携帯機器１００は、この通知を受けて、充電が完了したことをユーザに通知する。よって本実施形態では、満充電になった直後に充電の終了を促すことができ、二次電池２１１の劣化を抑制することができる。
【００５４】
尚本実施形態の通知制御部１２０は、表示装置１２にメッセージを表示することで、充電の完了をユーザに通知するものとして説明したが、これに限定されない。
【００５５】
例えば本実施形態の携帯機器１００は、点灯させることで充電中を通知し消灯させることで充電完了を示すライトを通知手段として有しており、通知制御部１２０は、このライトの点灯／消灯を制御して充電完了をユーザに通知しても良い。
【００５６】
また本実施形態の携帯機器１００は、機器本体を振動させる振動発生手段を備えており、通知制御部１２０は、この振動発生手段を制御して充電の完了を通知しても良い。例えば通知制御部１２０は、通知受付部１１０が通知を受けると、振動発生手段により振動を発生させる制御を行っても良い。
【００５７】
また本実施形態の携帯機器１００は、鳴音手段を備えており、通知制御部１２０は、通知受付部１１０が通知を受けると、鳴音手段により通知音を鳴らしても良い。
【００５８】
（第二の実施形態）
以下に図面を参照して本発明の第二の実施形態について説明する。本発明の第二の実施形態は、満充電を通知する信号を受け付けると充電を停止させる点が第一の実施形態と相違する。よって以下の本発明の第二の実施形態の説明では、第一の実施形態との相違点についてのみ説明し、第一の実施形態と同様の機能構成を有するものには第一の実施形態の説明で用いた符号と同様の符号を付与し、説明を省略する。
【００５９】
図７は、第二の実施形態の携帯機器を説明する図である。
【００６０】
本実施形態の携帯機器１００Ａは、充電アダプタ３００と電池パック２００との間に充電回路１８を有する。本実施形態の携帯機器１００Ａは、家庭用コンセントから供給される電圧が充電アダプタ３００により供給される。充電アダプタ３００から電池パック２００に供給される電圧は、充電回路１８において電池パック２００に適した電圧に制御されて供給される。
【００６１】
本実施形態では、充電アダプタ３００と電池パック２００とを接続を経路に、充電アダプタ３００と電池パック２００との接続を制御するスイッチ素子１３０を設けた。本実施形態の携帯機器１００Ａは、電池パック２００から満充電を検出したことを通知する通知信号を受けると、充電回路１８によりスイッチ素子１３０をオフさせて、充電アダプタ３００と電池パック２００との接続を遮断する。
【００６２】
本実施形態では、この構成により、監視ＩＣ２２０により満充電が検出された直後に二次電池２１１に対する充電を遮断させることができる。よって本実施形態では、充電による二次電池の劣化を抑制することができる。
【００６３】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【００６４】
１８  充電回路
１００、１００Ａ  携帯機器
１１０  通知受付部
１２０  通知制御部
１３０  スイッチ素子
２００  電池パック
２１０  電池ユニット
２２０  監視ＩＣ
３００  充電アダプタ
【図１】
2011017619.tif 000003
【図２】
2011017619.tif 000004
【図３】
2011017619.tif 000005
【図４】
2011017619.tif 000006
【図５】
2011017619.tif 000007
【図６】
2011017619.tif 000008
【図７】
2011017619.tif 000009